(57)【要約】【課題】複数種類の光記録媒体に対応できるように複数個の対物レンズを備える光ピックアップ装置において、対物レンズの切り換えを安価な構成で行える光ピックアップ装置を提供する。【解決手段】光ピックアップ装置に備えられる２つの対物レンズ９ａ、９ｂは、第２のホルダ２４に保持されている。第２のホルダ２４は、第１のホルダ１５に回動可能に支持されている。第１のホルダ１５は、アクチュエータ１２によって少なくともトラッキング方向に駆動される。第１のホルダ１５がトラッキング方向に所定の距離以上移動させると、第２のホルダ２４はヨーク１６ａ、１６ｂと当接し、更には第２のホルダ２４が回動されて、対物レンズ９ａ、９ｂの切り換えが行われる。【選択図】図２
2007213694.tif 000002
【特許請求の範囲】
【請求項１】
異なる波長を有する複数の光源と、該光源から出射される光ビームを光記録媒体の記録面に集光する対物レンズと、該対物レンズを搭載する第１のホルダを有して、該第１のホルダを駆動することによって前記対物レンズを少なくとも前記光記録媒体の半径方向であるトラッキング方向に移動可能とするアクチュエータと、を備える光ピックアップ装置において、
前記第１のホルダには複数個の対物レンズが搭載され、
前記第１のホルダを前記トラッキング方向へ移動することにより、前記複数個の対物レンズのうちから、前記光ビームの光路中に配置する前記対物レンズを選択的に切り換えられることを特徴とする光ピックアップ装置。
【請求項２】
前記第１のホルダには、前記複数個の対物レンズを保持する第２のホルダが搭載され、
前記第２のホルダの前記トラッキング方向の両側には、固定配置されて、前記第１のホルダが前記トラッキング方向に所定の距離以上移動した場合に前記第２のホルダと当接する固定部材が設けられ、
前記第２のホルダは、前記第１のホルダを前記トラッキング方向に移動して前記第２のホルダが前記固定部材と当接後、更に前記第１のホルダを同方向に移動し続けると可動するように設けられることを特徴とする請求項１に記載の光ピックアップ装置。
【請求項３】
前記第２のホルダは、前記第１のホルダに回動可能に支持されて、前記固定部材と当接後回動することを特徴とする請求項２に記載の光ピックアップ装置。
【請求項４】
前記第１のホルダと前記第２のホルダとには、前記第２のホルダが前記固定部材と当接していない時に、対になって前記第２のホルダを前記第１のホルダに対して固定する係止部が設けられることを特徴とする請求項２又は請求項３に記載の光ピックアップ装置。
【請求項５】
前記アクチュエータは、ベースと、該ベースから立設して磁路を形成するためのヨークと、を有し、前記ヨークが前記固定部材として用いられることを特徴とする請求項２から請求項４のうちのいずれか１項に記載の光ピックアップ装置。
【請求項６】
前記アクチュエータは、前記第１のホルダを駆動することによって前記対物レンズを、前記記録面と直交する方向であるフォーカス方向と、前記トラッキング方向と前記フォーカス方向とのいずれにも直交する軸の軸周り方向であるチルト方向と、に移動可能とすることを特徴とする請求項１から請求項５のうちのいずれか１項に記載の光ピックアップ装置。
【発明の詳細な説明】
【技術分野】
【０００１】
本発明は、光記録媒体に光ビームを照射して情報の記録や情報の読み取りを可能とする光ピックアップ装置に関し、特に複数種類の光記録媒体に対応可能な光ピックアップ装置の構造に関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体の高密度化に関する研究が進められ、例えば、高品位のＤＶＤであるＨＤ−ＤＶＤやブルーレイディスク（以下、ＢＤという。）といった高密度化された光記録媒体も実用化されつつある。
【０００３】
このような光記録媒体の記録再生を行うにあたっては、光記録媒体に光ビームを照射して情報の記録や情報の読み取りを可能とする光ピックアップ装置が用いられるが、光記録媒体の種類によって、光ピックアップ装置に用いられる対物レンズの開口数（ＮＡ）や光源の波長が異なってくる。例えば、ＣＤに対しては、対物レンズのＮＡが０．５０、光源の波長が７８０ｎｍ、ＤＶＤに対しては、対物レンズのＮＡが０．６５、光源の波長が６５０ｎｍ、ＨＤ−ＤＶＤに対しては、対物レンズのＮＡが０．６５、光源の波長が４０５ｎｍ、ＢＤに対しては、対物レンズのＮＡが０．８５、光源の波長が４０５ｎｍとなる。
【０００４】
このように、光記録媒体の種類によって、用いられる対物レンズのＮＡや波長が異なるために、光記録媒体毎に異なる光ピックアップ装置を用いることも考えられるが、１つの光ピックアップ装置で複数種類の光記録媒体について情報の読み取り等が行える方が便利であり、そのような光ピックアップ装置が多く開発されている。そして、最近では、例えば、ＣＤ、ＤＶＤ、ＨＤ−ＤＶＤの３種類や、ＣＤ、ＤＶＤ、ＢＤの３種類の光記録媒体について、１つの対物レンズで対応できる光ピックアップ装置も出現している。
【０００５】
しかし、複数種類の光記録媒体に対応する光ピックアップ装置に用いられる対物レンズを１つとする構成の場合、一般的に、対物レンズの設計が難しくなり、高価となる。そして、例えば、ＣＤ、ＤＶＤ、ＨＤ−ＤＶＤ、ＢＤの４種類に対応する光ピックアップ装置では、対物レンズの設計が非常に困難となり、作製できたとしても非常に高価な対物レンズとなる。このため、特に、４種類以上の光記録媒体について情報の読み取り等を行う光ピックアップ装置を製造する場合、光学系の中に２つ以上の対物レンズを配置する構成とするのが、現状では得策である。
【０００６】
この点、複数の対物レンズを光ピックアップ装置の光学系中に配置する構成については、従来、種々の報告がある。例えば、特許文献１においては、それぞれ２つの非球面が対向する４つの非球面から成るレンズを備え、２つの対向する非球面の組を対物レンズとして用い、対物レンズの切り換えは、専用のアクチュエータを用いて回動して行う構成の光ピックアップ装置が紹介されている。
【０００７】
また、特許文献２においては、それぞれ１つの対物レンズを搭載する２つの対物レンズアクチュエータと、この２つの対物レンズアクチュエータをスライドすることによって、対物レンズを光路中に挿脱する切り換え手段と、を備える構成の光ピックアップ装置が紹介されている。
【０００８】
しかしながら、特許文献１や特許文献２に紹介される光ピックアップ装置の場合、いずれも、複数の対物レンズを切り換えるために専用のアクチュエータを設ける構成であるために、高価な部品の点数が増加してコストが上昇するといった問題がある。その他、いわゆる立ち上げミラー（全反射ミラー）にアクチュエータを取り付け、アクチュエータにより光源から出射される光ビームの光路を切り換えて、複数配置される対物レンズを切り換えて用いる構成の光ピックアップ装置も考えられるが、この場合でも、別途、立ち上げミラーを動かすアクチュエータが必要となり、高価な部品点数の増加に伴うコストアップの問題がある。
【０００９】
また、軸摺動型の二軸アクチュエータの可動部に複数の対物レンズを配置して、可動部を回転させて対物レンズを切り換える構成の光ピックアップ装置も考えられる。この場合、別途専用のアクチュエータを設けなくても良いために、高価な部品点数の増加に関する問題はないが、軸摺動型の二軸アクチュエータは、今後主流になると考えられるＨＤ−ＤＶＤやＢＤといった高密度化された光記録媒体の情報の記録再生を行うために一般的に必要と考えられる、対物レンズを傾けるチルト機能を有さないために、ＨＤ−ＤＶＤ、ＢＤ等を記録再生するために用いる光ピックアップ装置として十分なものではない。
【特許文献１】特開２０００−１８２２７２号公報
【特許文献２】特開平９−５４９６１号公報
【発明の開示】
【発明が解決しようとする課題】
【００１０】
以上の問題点を鑑みて、本発明の目的は、複数種類の光記録媒体に対応できるように複数個の対物レンズを備える光ピックアップ装置において、対物レンズの切り換えを安価な構成で行える光ピックアップ装置を提供することである。また、本発明の他の目的は、前述の目的を達成した上で、ＨＤ−ＤＶＤやＢＤといった高密度の光記録媒体に対応できる光ピックアップ装置を提供することである。
【課題を解決するための手段】
【００１１】
上記目的を達成するために本発明は、異なる波長を有する複数の光源と、該光源から出射される光ビームを光記録媒体の記録面に集光する対物レンズと、該対物レンズを搭載する第１のホルダを有して、該第１のホルダを駆動することによって前記対物レンズを少なくとも前記光記録媒体の半径方向であるトラッキング方向に移動可能とするアクチュエータと、を備える光ピックアップ装置において、前記第１のホルダには複数個の対物レンズが搭載され、前記第１のホルダを前記トラッキング方向へ移動することにより、前記複数個の対物レンズのうちから、前記光ビームの光路中に配置する前記対物レンズを選択的に切り換えられることを特徴としている。
【００１２】
また、本発明は、上記構成の光ピックアップ装置において、前記第１のホルダには、前記複数個の対物レンズを保持する第２のホルダが搭載され、前記第２のホルダの前記トラッキング方向の両側には、固定配置されて、前記第１のホルダが前記トラッキング方向に所定の距離以上移動した場合に前記第２のホルダと当接する固定部材が設けられ、前記第２のホルダは、前記第１のホルダを前記トラッキング方向に移動して前記第２のホルダが前記固定部材と当接後、更に前記第１のホルダを同方向に移動し続けると可動するように設けられることを特徴としている。
【００１３】
また、本発明は、上記構成の光ピックアップ装置において、前記第２のホルダは、前記第１のホルダに回動可能に支持されて、前記固定部材と当接後回動することを特徴としている。
【００１４】
また、本発明は、上記構成の光ピックアップ装置において、前記第１のホルダと前記第２のホルダとには、前記第２のホルダが前記固定部材と当接していない時に、対になって前記第２のホルダを前記第１のホルダに対して固定する係止部が設けられることを特徴としている。
【００１５】
また、本発明は、上記構成の光ピックアップ装置において、前記アクチュエータは、ベースと、該ベースから立設して磁路を形成するためのヨークと、を有し、前記ヨークが前記固定部材として用いられることを特徴としている。
【００１６】
また、本発明は、上記構成の光ピックアップ装置において、前記アクチュエータは、前記第１のホルダを駆動することによって前記対物レンズを、前記記録面と直交する方向であるフォーカス方向と、前記トラッキング方向と前記フォーカス方向とのいずれにも直交する軸の軸周り方向であるチルト方向と、に移動可能とすることを特徴としている。
【発明の効果】
【００１７】
本発明の第１の構成によれば、複数個の対物レンズを備える光ピックアップ装置において、専用のアクチュエータを設けることなく、光路中に配置する対物レンズの切り換えを行える。このため、複数の対物レンズを備える光ピックアップ装置について、アクチュエータのような高価な部品点数を増やさず、安価な光ピックアップ装置を提供できる。
【００１８】
また、本発明の第２の構成によれば、上記第１の構成の光ピックアップ装置において、専用のアクチュエータを用いることなく、対物レンズの切り換えが行える光ピックアップ装置について、容易に実現できる。
【００１９】
また、本発明の第３の構成によれば、上記第２の構成の光ピックアップ装置において、対物レンズを保持する第２のホルダのサイズをコンパクトにでき、アクチュエータへの負担を減らすことが可能となる。また、光ピックアップ装置のサイズを大型化しない構成とできる。
【００２０】
また、本発明の第４の構成によれば、上記第２又は第３の構成の光ピックアップ装置において、光路中に配置されている対物レンズが光記録媒体の記録再生時に動かないように固定できるため、光ピックアップ装置による情報の記録再生における品質の低下を抑制できる。
【００２１】
また、本発明の第５の構成によれば、上記第２から第４のいずれかの構成の光ピックアップ装置において、余分な部品点数の増加、及びアクチュエータの大型化を防止できる。
【００２２】
また、本発明の第６の構成によれば、上記第１から第５のいずれかの構成の光ピックアップ装置において、ＨＤ−ＤＶＤやＢＤといった高密度の光記録媒体に対しても、高品質の記録再生を行える光ピックアップを提供することができる。
【発明を実施するための最良の形態】
【００２３】
以下に本発明の実施形態を、図面を参照しながら説明する。なお、ここで示す実施形態は一例であり、本発明はここに示す実施形態に限定されるものではない。
【００２４】
図１は、本実施形態の光ピックアップ装置の光学系を示す概略図である。図１において、１は光ピックアップ装置で、ＣＤ、ＤＶＤ、ＨＤ−ＤＶＤ、ＢＤの４種類の光記録媒体１１に対して、光ビームを照射して反射光を受光することにより光記録媒体１１の記録面１１ａに記録されている情報を読み取ったり、光記録媒体１１に光ビームを照射して記録面１１ａに情報を書き込んだりすることを可能とする装置である。この光ピックアップ装置１の光学系は、例えば、第１光源２と、第２光源３と、ダイクロプリズム４と、ビームスプリッタ５と、コリメートレンズ６と、立ち上げミラー７と、液晶素子８と、対物レンズ９と、光検出器１０と、を備えている。以下に、各光学素子の詳細を説明する。
【００２５】
第１光源２は、２波長１パッケージタイプの半導体レーザであり、ＣＤに対応する７８０ｎｍ帯の波長を有する光ビームと、ＤＶＤに対応する６５０ｎｍ帯の波長を有する光ビームを出射できる。第２光源３は、ＨＤ−ＤＶＤ及びＢＤに対応する４０５ｎｍ帯の波長を有する光ビームを出射できる半導体レーザである。なお、光源の配置については、本実施形態の構成に限らず、本発明の目的を逸脱しない範囲で種々の変更が可能である。すなわち、ＣＤ用とＤＶＤ用の光ビームを出射する光源について、別々の半導体レーザから出射する構成等しても構わないし、また、３種類の波長の光ビームについて、１パッケージで出射できる半導体レーザを用いる構成等としても構わない。
【００２６】
ダイクロプリズム４は、第１光源２から出射される光ビームを透過し、第２光源３から出射される光ビームを反射する。そして、第１光源２と第２光源３とから出射される光ビームの光軸を一致させる。ダイクロプリズム４において、透過又は反射された光ビームは、ビームスプリッタ５に送られる。
【００２７】
ビームスプリッタ５は、光ビームを分離する分離素子として機能し、第１及び第２光源２、３から出射された光ビームを透過して光記録媒体１１側へと導くとともに、光記録媒体１１で反射された反射光を反射して光検出器１０へと導く。ビームスプリッタ５を透過した光ビームは、コリメートレンズ６に送られる。
【００２８】
コリメートレンズ６は、ビームスプリッタ５を透過した光ビームを平行光に変換するレンズである。ここで、平行光とは、第１及び第２光源２、３から出射された光ビームの全ての光路が光軸とほぼ平行である光をいう。コリメートレンズ６を透過した平行光は、立ち上げミラー７に送られる。
【００２９】
立ち上げミラー７は、コリメートレンズ６を透過してきた光ビームを反射して光記録媒体１１へと導く。立ち上げミラー７は、コリメートレンズ６からの光ビームの光軸に対して４５°傾いた状態となっており、立ち上げミラー７で反射された光ビームの光軸は、光記録媒体１１の記録面１１ａと略直交する。立ち上げミラー７で反射された光ビームは、液晶素子８へと送られる。
【００３０】
液晶素子８は、透明電極に挟まれた液晶（いずれも図示せず）に電圧を印加することで、液晶分子がその配向方向を変える性質を利用して、屈折率の変化を制御し、液晶素子８を透過する光ビームの位相の制御を可能とする素子である。光記録媒体１１の記録面１１ａは、保護層１１ｂに覆われているが、この保護層１１ｂの厚みは、光記録媒体１１の種類によって異なる（例えば、ＣＤで１．２ｍｍ、ＤＶＤ及びＨＤ−ＤＶＤで０．６ｍｍ、ＢＤで０．１ｍｍである）。そして、この保護層１１ｂの厚みの違いから球面収差が生じる。液晶素子８は、この球面収差を補正するために設けられている。液晶素子８を通過した光ビームは対物レンズ９へと送られる。
【００３１】
なお、本実施形態の光ピックアップ装置１の光学系においては、液晶素子８を配置しているが、必ずしもこの構成に限らず、光学系の構成によっては液晶素子８を光学系中に配置しない構成としても構わない。また、本実施形態では、球面収差を補正する手段として液晶素子８を配置しているが、これに限らず、例えば、エキスパンダレンズ等の収差補正素子を配置しても構わない。
【００３２】
対物レンズ９は、液晶素子８を透過した光ビームを光記録媒体１１の記録面１１ａ上に集光させる。図１においては、便宜的に１つの対物レンズ９のみ記載しているが、光ピックアップ装置１には、２つの対物レンズ９が配置されており、光ピックアップ装置１を用いて記録再生する光記録媒体１１の種類によって、使用する対物レンズ９が選択的に切り換えられるようになっている。本実施形態に用いられる２つの対物レンズ９は、例えば、一方がＣＤ、ＤＶＤ、ＨＤ−ＤＶＤの記録再生を行う場合に利用され、もう一方がＢＤの記録再生を行う場合に利用されるように設計されている。これら２つの対物レンズ９は、アクチュエータ上に搭載されており、所定の方向に移動できるように構成されている。アクチュエータの構成及び２つの対物レンズ９を切り換える構成については、後で詳細に説明する。
【００３３】
光記録媒体１１で反射された反射光は、対物レンズ９、液晶素子８を透過し、立ち上げミラー７で反射され、コリメートレンズ６を通過した後のビームスプリッタ５で反射されて光検出器１０の受光部（図示せず）に到達する。
【００３４】
光検出器１０は、受光した光情報を電気信号に変換して、例えば、図示しないＲＦアンプ等に出力する。そして、この電気信号は、記録面１１ａに記録されているデータの再生を行うための再生信号として、更には、フォーカス制御やトラッキング制御を行うためのフォーカス誤差信号、トラック誤差信号といったサーボ制御用の信号として用いられる。
【００３５】
次に、対物レンズ９が搭載されるアクチュエータの構成について、図２から図４を参照しながら説明する。ここで、図２は、本実施形態のアクチュエータ１２を上から見た概略平面図、図３は、本実施形態のアクチュエータ１２を図２の右側から見た概略側面図、図４は、図３のＡ−Ａ断面図である。
【００３６】
アクチュエータ１２は、大きくは、強磁性を有する金属性のベース部材１３と、樹脂成型品である第１のホルダ１５と、より構成される。ベース部材１３には、第１光源２又は第２光源３(図１参照)から出射される光ビームを通過させる貫通穴（図示せず）が形成され、その上に詳細は後述する第１のホルダ１５が配置される。また、ベース部材１３上には、第１のホルダ１５を挟むように所定間隔をあけて相互に対向する一対の永久磁石１４ａ、１４ｂが立設されている。永久磁石１４ａ、１４ｂは、それぞれの外面がベース部材１３から折曲形成された突片１３ａ、１３ｂに磁着されることで、ベース部材１３と磁気的に一体化された状態で固定される。
【００３７】
更にベース部材１３には、永久磁石１４ａ、１４ｂの間に、これらの永久磁石１４ａ、１４ｂの対向方向とほぼ直角な方向で対向する一対のヨーク１６ａ、１６ｂが立設されている。これらの各ヨーク１６ａ、１６ｂは、ベース部材１３から折曲形成されて成る。ここで、各ヨーク１６ａ、１６ｂは、磁路を形成しており、具体的には、永久磁石１４ａ、１４ｂから磁束を有効に引き込んで、主として、両者の間に配置される後述のフォーカス用コイル１７、トラッキング用コイル１８ａ、１８ｂ及びチルト用コイル２３ａ、２３ｂに高密度の磁束を与え、これにより、第１のホルダ１５の駆動効率を高める役割を担う。
【００３８】
第１のホルダ１５は、中空に形成されており、そのほぼ中央を光源２、３から出射された光ビームの光軸が通過するように配置されている。そして、この第１のホルダ１５には、第２のホルダ２４に保持された２つの対物レンズ９ａ、９ｂが搭載されている。第２のホルダ２４に保持される２つの対物レンズ９ａ、９ｂは、必要に応じて切り換えて使用できるようになっており、切り換えが完了した状態においては、いずれか一方の対物レンズ９ａ、９ｂの光軸が、光源２、３から出射される光ビームの光軸と一致する状態と成る。図２においては、対物レンズ９ａの光軸が光源２、３から出射される光ビームの光軸と一致している。また、第１のホルダ１５の中空内には、第２のホルダ２４を挟むように、ヨーク１６ａ、１６ｂが位置している。なお、第２のホルダ２４の詳細については、後述する。
【００３９】
第１のホルダ１５の側壁の内側には、ほぼ矩形状に巻かれたフォーカス用コイル１７が設けられ、第１のホルダ１５に対して接着剤等で固着されている。また、第１のホルダ１５の側壁のうちの各永久磁石１４ａ、１４ｂと対向する両側壁の外側には、それぞれトラッキング用コイル１８ａ、１８ｂが接着剤等で固着されている。各トラッキング用コイル１８ａ、１８ｂは、それぞれヨーク１６ａ、１６ｂを挟んで対向するように左右に一対ずつ（図２参照）形成され、全体として１本の線で繋がっている。また、フォーカス用コイル１７より下側の部分には、各ヨーク１６ａ、１６ｂを取り巻くようにチルト用コイル２３ａ、２３ｂが接着剤等で固着されている。各チルト用コイル２３ａ、２３ｂも、全体として１本の線で繋がっている。
【００４０】
また、ベース部材１３上には、一方の永久磁石１４ｂが磁着された突片１３ｂの外面側に、ポリカーボネート等の樹脂成型品のゲルホルダ１９が固定され、更にゲルホルダ１９の外側に隣接して回路基板２１が立設されている。この回路基板２１には、左右両側において、それぞれ上下方向に３箇所ずつ（図２及び図３参照）、導電性を有するワイヤ２０ａ、２０ｂ、２０ｃ、２０ｄ、２０ｅ、２０ｆの各一端がハンダ付けにて接続されている。これらの６本の各ワイヤ２０ａ〜２０ｆは、回路基板２１への接続箇所に対応した位置、すなわち左右両側において、それぞれ上下方向に３箇所ずつゲルホルダ１９に形成された各貫通孔２２ａ、２２ｂ、２２ｃ、２２ｄ、２２ｅ、２２ｆを挿通している。
【００４１】
更に、各ワイヤ２０ａ〜２０ｆは、第１のホルダ１５の左右両側から突出する突条１５ａ、１５ｂに接着剤等で接合され、これにより、第１のホルダ１５は、各ワイヤ２０ａ〜２０ｆによってベース部材１３に対して揺動可能に支持される。そして、上段の各ワイヤ２０ａ、２０ｄの他端は、フォーカス用コイル１７にハンダ付けにて接続され、中段のワイヤ２０ｂ、２０ｅの他端は、トラッキング用コイル１８ａ、１８ｂにハンダ付けにて接続され、下段のワイヤ２０ｃ、２０ｆの他端は、チルト用コイル２３ａ、２３ｂにハンダ付けにて接続されている。
【００４２】
また、各ワイヤ２０ａ〜２０ｆが挿通されたゲルホルダ１９の各貫通孔２２ａ〜２２ｆ内には、シリコンを主成分とするゲル材が充填されている。ここでゲル材は、低粘度のゲル材（ゾル）がゲルホルダ１９の各貫通孔２２ａ〜２２ｆに注入された後、所定時間の紫外線照射によってゲル状に硬化したものである。そして、このゲルホルダ１９は、第１のホルダ１５の駆動に応じて各ワイヤ２０ａ〜２０ｆに生じた振動をゲル材によって減衰し、抑制する役目を果たす。
【００４３】
このように構成されるアクチュエータ１２において、回路基板２１からワイヤ２０ａ、２０ｄを通じてフォーカス用コイル１７に電流が供給されると、ベース部材１３、永久磁石１４ａ、１４ｂ、及びヨーク１６ａ、１６ｂによって形成される磁気回路（磁路）との電磁気的な作用により、第１のホルダ１５は図３の上下方向（図２の紙面方向）であるフォーカス方向に駆動する。このため、フォーカス用コイル１７に供給する電流の大きさ及び向きを調整することで対物レンズ９ａ、９ｂのフォーカス方向の位置調整が可能となる。
【００４４】
また、回路基板２１からワイヤ２０ｂ、２０ｅを通じてトラッキング用コイル１８ａ、１８ｂに電流が供給されると、ベース部材１３、永久磁石１４ａ、１４ｂ、及びヨーク１６ａ、１６ｂによって形成される磁気回路との電磁気的な作用により、第１のホルダ１５は、図２の左右方向（図３の紙面方向）であるトラッキング方向に駆動する。このため、トラッキング用コイル１８ａ、１８ｂに供給する電流の大きさ及び向きを調整することで対物レンズ９ａ、９ｂのトラッキング方向（光記録媒体１１の半径方向）の位置調整が可能となる。
【００４５】
更に、回路基板２１からワイヤ２０ｃ、２０ｆを通じてチルト用コイル２３ａ、２３ｂに電流が供給されると、ベース部材１３、永久磁石１４ａ、１４ｂ、及びヨーク１６ａ、１６ｂによって形成される磁気回路との電磁気的な作用により、第１のホルダ１５はフォーカス方向とトラッキング方向との両方と直交する軸の軸周り方向であるチルト方向に駆動する。このため、チルト用コイル２３ａ、２３ｂに供給する電流の大きさ及び向きを調整することで対物レンズ９ａ、９ｂのチルト方向の位置調整が可能となる。
【００４６】
次に、２つの対物レンズ９ａ、９ｂを保持する第２のホルダ２４の構成と、第２のホルダ２４に保持された対物レンズ９ａ、９ｂが、光記録媒体１１の種類に応じて切り換えられる動作について説明する。図５は、本実施形態の第２のホルダ２４の構成を説明するための図で、図５（ａ）は、第２のホルダ２４を第１のホルダ１５に搭載する前の状態を示す概略斜視図、図５（ｂ）は、第２のホルダ２４が第１のホルダ１５に搭載された状態を示す概略斜視図である。
【００４７】
図５（ａ）に示すように、第２のホルダ２４はトラッキング方向（図中に矢印で示す方向）と平行な面２４ａが五角形となる五角柱状に形成されている。そして、五角柱の側面の隣り合う２面にそれぞれ、対物レンズ９ａ、９ｂが保持されている。この五角柱状の第２のホルダ２４は中空で、更に対物レンズ９ａ、９ｂが搭載される面の境界となる辺２４ｂと対向する面２４ｃ側は開放されており、光源２、３から出射された光ビームが対物レンズ９ａ、９ｂに入射可能に構成されている。また、第２のホルダ２４の五角形の２つの面２４ａには、それぞれ対向する位置に、第２のホルダ２４を回動可能に支持する回転軸２６と、第２のホルダ２４を第１のホルダ１５に対して固定するために用いられる凸部２５ａ、２５ｂと、が設けられている。
【００４８】
第２のホルダ２４の回転軸２６は、図５（ｂ）に示すように第１のホルダ１５のトラッキング方向と平行な２つの面１５ａの対向する位置であって、中央下部側にそれぞれ設けられる孔２７に嵌め込まれる。また、第１のホルダ１５に搭載される第２のホルダ２４は、対物レンズ９ａ、９ｂの切り換えが行われる時を除いては、第１のホルダ１５に対して固定された状態である必要があり、本実施形態においては、第１のホルダ１５の面１５ａの中央上部側に設けられる固定用の孔２８に、第２のホルダ２４に設けられる凸部２５ａと凸部２５ｂのいずれかが嵌まり込むことによって、第２のホルダ２４の固定が行われる。
【００４９】
すなわち、第２のホルダ２４に設けられる凸部２５ａ、２５ｂと第１のホルダ１５に設けられる固定用の孔２８とは一対で第２のホルダ２４を第１のホルダ１５に対して固定する係止部２９として機能する。なお、この係止部２９の構成は、本実施形態の構成に限られる趣旨ではなく、種々の変更が可能である。すなわち、例えば、第１のホルダ１５に凸部を設け、第２のホルダに孔を設ける構成等としても構わない。
【００５０】
第１のホルダ１５に第２のホルダ２４が固定されている状態においては、第２のホルダ２４に保持される対物レンズ９ａ、９ｂのいずれかの光軸が、光源２、３から出射される光ビームの光軸と一致するように第２のホルダ２４の凸部２５ａ、２５ｂは形成されている。図５（ｂ）においては、対物レンズ９ａの光軸が光源２、３から出射される光ビームの光軸と一致した状態で、対物レンズ９ａが光ピックアップ装置の光路に配置された状態である。
【００５１】
次に、第２のホルダ２４に搭載される対物レンズ９ａ、９ｂの切り換え動作について説明する。図６は、光ピックアップ装置１の光路中に配置される対物レンズを対物レンズ９ａから対物レンズ９ｂへと切り換える動作を説明するための図である。光ピックアップ装置１を用いて情報の記録再生を行う光記録媒体１１の種類に応じて、図示しない制御部よりアクチュエータ１２に対して対物レンズ９ａ、９ｂの切り換え命令が指示されると、アクチュエータ１２は第１のホルダ１５を図６の左右方向に該当するトラッキング方向のいずれかの方向に移動させる。図６においては、左方向に第１のホルダ１５が移動される状態を示している。
【００５２】
そして、第１のホルダ１５が、光ピックアップ装置１を用いて記録再生を行う場合にアクチュエータ１２がトラッキング調整のために第１のホルダ１５を動かす距離より長い所定の距離だけ移動されると、第２のホルダ２４がヨーク１６ｂ（図２参照）に当接する（図６（ａ）の状態）。そして、第２のホルダ２４がヨーク１６ｂに当接後、さらに第１のホルダ１５を左方向に移動させ続けると、第２のホルダ２４には右方向の力が加わり、凸部２５ａが第１のホルダ１５に設けられる固定用の孔２８（図５参照）から外れ、回転軸２６を中心として図の矢印Ｒの向きに回動し始める。
【００５３】
更に、第１のホルダ１５を図の左方向に移動させ続けると、第２のホルダ２４の凸部２５ｂが第１のホルダ１５の固定用の孔２８に嵌まり込んだ状態（図６（ｂ）の状態）となる。この時点で、第１のホルダ１５のトラッキング方向への駆動を停止し、第１のホルダ１５が元の位置に戻って、対物レンズ９ａから対物レンズ９ｂへの切り換えが完了する。また、対物レンズ９ｂから対物レンズ９ａへと切り換える指示がアクチュエータ１２に伝達されると、図６の場合と反対方向に第１のホルダ１５が移動されて、同様の切り換えが行われる。
【００５４】
なお、本実施形態の第２のホルダ２４がヨーク１６ａ、１６ｂと当接することによって、回動する構成としているが、ヨーク１６ａ、１６ｂとは別に固定部材を配置して、この固定部材と第２のホルダ２４が当接することによって、第２のホルダ２４が回動する構成等としても構わない。ただし、ヨーク１６ａ、１６ｂを用いる方が、スペースを有効利用でき、装置の小型化等を図れて好ましい。また、第２のホルダ２４とヨーク１６ａ、１６ｂとが当接する部分については、その目的等に応じて種々の位置として構わないが、第２のホルダ２４の下部側でヨーク１６ａ、１６ｂが当接するように構成した方が、第２のホルダ２４がヨーク１６ａ、１６ｂと当接するまでに移動できる範囲が大きくなるという利点がある。
【００５５】
また、本実施形態においては、第１のホルダ１５をトラッキング方向に動かすだけで、第２のホルダ２４と、ヨーク１６ａ、１６ｂとが当接する構成としているが、これに限らず、例えば、フォーカス方向のうち第１のホルダ１５が光記録媒体１１から離れる方向に所定の距離移動した上で、第１のホルダ１５をトラッキング方向に移動させた場合に第２のホルダ２４とヨーク１６ａ、１６ｂ等の固定部材が当接する構成としても構わない。
【００５６】
以上に示した本実施形態においては、第２のホルダ２４の形状を五角柱形状としているが、この構成に限らず、本発明の目的を逸脱しない範囲で種々の変更が可能である。ただし、この場合、対物レンズと、ヨーク又固定部材とが接触しないように第２のホルダ２４を形成する必要がある。また、第２のホルダ２４の形状を変更することにより、２つの対物レンズの切り換えに限らず３つ以上の対物レンズを切り換える構成とすることも可能である。また、第２のホルダ２４に複数の対物レンズを保持する構成でなく、第２のホルダを複数のホルダにわけて、その１つずつに１つ以上の対物レンズを保持させて、対物レンズを切り換える構成としても構わない。
【００５７】
更に、本実施形態では、第２のホルダ２４を回動させることにより対物レンズ９ａ、９ｂを切り換える構成としているが、これに限られる趣旨ではなく、本発明の目的を逸脱しない範囲で変更可能である。すなわち、例えば、図７に示すように、直方体の第２のホルダ２４に２つの対物レンズを搭載し、第２のホルダ２４を第１のホルダ１５に対してスライド可能に支持することにより、第１のホルダ１５のトラッキング方向の移動に伴い対物レンズを切り換える構成等としても構わない。なお、図７（ａ）は第１のホルダ１５と第２のホルダ２４とを上から見た概略平面図で、図７（ｂ）は第２のホルダ２４を側面から見た概略平面図である。
【００５８】
図７の構成においては、第２のホルダ２４は第１のホルダ１５に形成される支持台３０に、スライド可能に支持されており、対物レンズ９ａから対物レンズ９ｂの構成に切り換える場合には、図の左右方向であるトラッキング方向のうち、一方の方向である左方向に第１のホルダ１５を移動させる。そして、第２のホルダ２４がヨーク１６ｂに当接し、更に第１のホルダ１５を左方向に移動すると、第２のホルダ２４の凸部２５ａが第１のホルダ１５に設けられる固定用の孔２８から外れ、固定用の孔２８と第２のホルダ２４の凸部２５ｂとが嵌合する。これにより、対物レンズ９ａから対物レンズ９ｂへの切り換えが行われる。なお、この構成においても、対物レンズを３つ以上配置する構成としても構わない。
【００５９】
その他、本実施形態の光ピックアップ装置１においては、アクチュエータ１２は、フォーカス方向と、トラッキング方向と、チルト方向の３方向に第１のホルダ１５を駆動する構成としているが、これに限らず、アクチュエータ１２が少なくともトラッキング方向に動く構成であれば、本実施形態と異なる構成のアクチュエータであっても本発明は適用可能である。また、光ピックアップ装置によって記録再生できる光記録媒体の種類及び数も本実施形態のものに限られず、種々の変更が可能なのは言うまでもない。
【産業上の利用可能性】
【００６０】
本発明によれば、光源からの光ビームを光記録媒体の記録面に集光する対物レンズを複数個有し、複数個の対物レンズを切り換えて用いる光ピックアップ装置において、対物レンズの切り換えを、専用のアクチュエータを別途設けることなく、対物レンズを駆動するアクチュエータを用いて達成できるために、光ピックアップ装置を低コストで作製することが可能となる。
【００６１】
また、本発明によれば、複数個の対物レンズの切り換えをも行う対物レンズのアクチュエータを、フォーカス方向、トラッキング方向、チルト方向の３方向に対物レンズを移動するタイプのアクチュエータとして構成しやすいために、記録再生時に対物レンズをチルト方向に駆動することが一般的に必要となるＢＤ、ＨＤ−ＤＶＤに対応する光ピックアップ装置として適用しやすい。
【図面の簡単な説明】
【００６２】
【図１】は、本実施形態における光ピックアップ装置の光学系の構成を示す概略図である。
【図２】は、本実施形態のアクチュエータの構成を示す概略上面図である。
【図３】は、本実施形態のアクチュエータの構成を示す概略側面図である。
【図４】は、図３のＡ−Ａ断面図である。
【図５】は、本実施形態の第２のホルダの構成を説明するための説明図である。
【図６】は、本実施形態の構成において、対物レンズの切り換え動作を説明するための図である。
【図７】は、本発明に係る第２のホルダの構成の変形例である。
【符号の説明】
【００６３】
１                光ピックアップ装置
２                第１光源
３                第２光源
９、９ａ、９ｂ    対物レンズ
１１              光記録媒体
１１ａ            記録面
１２              アクチュエータ
１５              第１のホルダ
１６ａ、１６ｂ    ヨーク（固定部材）
２４              第２のホルダ
２９              係止部
【図１】
2007213694.tif 000003
【図３】
2007213694.tif 000004
【図５】
2007213694.tif 000005
【図６】
2007213694.tif 000006
【図７】
2007213694.tif 000007
【図２】
2007213694.tif 000008
【図４】
2007213694.tif 000009